(57)【特許請求の範囲】
【請求項１】
床下収納庫の内部の断熱構造であって、発泡スチロール製の断熱外枠を取り付けるために、前端部に位置する当たり板部と、この当たり板部の中心部において背面から後方に延びるように連設された円筒部と、前記当たり板部の背面と円筒部の後端部との間で円筒部の外面から突出し後端部に向って窄まるように形成されたリブとを備えており、前記当たり板部は中央の孔部からほぼ円錐形の底部を備え、この底部の中心に前記円筒部の前端が開口するように構成した止め具を用い、収納庫蓋の下部の断熱外枠固定材となる根太などの開口補強材で囲まれる空間内を断熱構造にすべく前記断熱外枠を位置させ、この断熱外枠に対して前記止め具を差し込み、タッピングねじもしくは釘を円筒部に差し込んだ後、開口補強材にタッピングねじをねじ込むか釘を打ち込み断熱外枠を固定してなることを特徴とする床下収納庫の内部の断熱構造。
【発明の詳細な説明】
【技術分野】
【０００１】
本発明は、止め具およびそれを用いた建物の開口部蓋の断熱構造に関するものである。
【背景技術】
【０００２】
例えば、寒冷地などで設けられる従来の床下点検口は特許文献１に開示されているものが知られているように、発泡スチロールからなる断熱外枠を取り付けるために、ほぼＬ字型の取り付け金具を用いており、この取り付け金具を断熱外枠に直角に突き刺した状態で取り付け金具を野縁に対してねじ止めしている。
【特許文献１】特開２００１−３４９０４７号公報
【発明の開示】
【発明が解決しようとする課題】
【０００３】
上記従来の特許文献１に開示されているようなほぼＬ字型の取り付け金具を用いて断熱外枠を取り付ける場合、取り付け金具を断熱外枠に直角に突き刺す作業、取り付け金具を野縁に対してねじ止めする作業が必要であり、作業数が多くなるという問題や、取り付け金具が大きく、材料費を含む製造コストが高くなるという問題があった。
【０００４】
本発明の目的は、このような課題を解決するものであり、従来の取り付け金具を用いる場合に比べて発泡スチロール製の断熱外枠などの製品の取り付けを簡単に行なえる止め具を安価に提供し、建物の開口部蓋の断熱構造の組み立ても容易且つ低コストで行なえるようにすることにある。
【課題を解決するための手段】
【０００９】
請求項１に記載の発明は、床下収納庫の内部の断熱構造であって、発泡スチロール製の断熱外枠を取り付けるために、前端部に位置する当たり板部と、この当たり板部の中心部において背面から後方に延びるように連設された円筒部と、前記当たり板部の背面と円筒部の後端部との間で円筒部の外面から突出し後端部に向って窄まるように形成されたリブとを備えており、前記当たり板部は中央の孔部からほぼ円錐形の底部を備え、この底部の中心に前記円筒部の前端が開口するように構成した止め具を用い、収納庫蓋の下部の断熱外枠固定材となる根太などの開口補強材で囲まれる空間内を断熱構造にすべく前記断熱外枠を位置させ、この断熱外枠に対して前記止め具を差し込み、タッピングねじもしくは釘を円筒部に差し込んだ後、開口補強材にタッピングねじをねじ込むか釘を打ち込み断熱外枠を固定してなることを特徴とする。
【発明の効果】
【００１０】
以上のように、本発明の止め具およびそれを用いた建物の開口部蓋の断熱構造は、従来の取り付け金具を用いる場合に比べて発泡スチロール製の断熱外枠などの製品の取り付けを簡単に行なえる止め具を安価に提供することができる。また、この止め具を用いることにより建物の開口部蓋の断熱構造の組み立ても容易且つ低コストで行なうことができる。
【発明を実施するための最良の形態】
【００１１】
以下、本発明の実施の形態を、図面を用いて具体的に説明する。
先ず、図１〜図５に示す第１の実施の形態について説明すると、１は本実施の形態における天井点検口の内部の断熱外枠の取り付けに使用される止め具であって、この止め具１は前端部に位置する当たり板部２と、この当たり板部２の中心部において背面から後方に延びるように連設された円筒部３と、前記当たり板部２の背面と円筒部３の後端部との間で円筒部３の外面から突出し後端部に向って窄まるように形成されたリブ４とを備えている。そして、前記当たり板部２は周囲が円形のリング状に形成されており、中央の孔部２ａからほぼ円錐形の底部２ｂを備え、この底部２ｂの中心に前記円筒部３の前端が開口している。この止め具１は合成樹脂あるいはアルミニウムや亜鉛合金などの金属を材料に用いて作られており、この止め具１のリブ４は図面に示す実施の形態では円筒部３の外周方向に４等分した位置に計４枚形成されているが、その数は１枚以上であれば良い。また、当たり板部２は周囲が円形のリング状に形成されているが、周囲は角形であっても良い。
【００１２】
上記止め具１は頭部が皿状のタッピングねじ５とセットで使用され、タッピングねじ５は当たり板部２の中央の孔部２ａから差し込まれて円筒部３を貫通するようになる。
次に、上記のような止め具１とタッピングねじ５を用いて天井点検口の内部の断熱外枠を取り付ける場合について説明する。６は天井板７の天井点検口を形成するための開口部７ａの上に開口部７ａと同じ大きさの孔部８を形成するために天井板７上に位置するように設けられる断熱外枠固定材となる合板からなる下地、９は天井板７の開口部７ａに嵌められて下地６と一体に天井板７上の野縁１０にねじ１１止めされるアルミニウム製のほぼ逆Ｔ字状の外枠、１２は外枠９で囲まれる開口部を閉じる点検口蓋となる蓋材１３の周囲を囲むように蓋材１３と結合されるアルミニウム製のほぼ逆Ｔ字状の内枠である。１４は天井板７上に設けられる断熱材である。そして、前記下地６で囲まれる空間内をも断熱構造にするために下地６の内面に全周に亘って取り付けられた発泡スチロールからなる断熱外枠１５と、この断熱外枠１５で囲まれる空間に嵌め込まれる発泡スチロールからなる断熱蓋１６が設けられる。詳しくは、前記断熱外枠１５は厚み面が前記外枠９の上に載り、前記下地６の内面に重なるように位置して断熱外枠１５に対して前記止め具１を差し込み、タッピングねじ５を円筒部３に差し込んだ後、タッピングねじ５を回しながら断熱外枠１５から下地６にねじ込み断熱外枠１５を固定するものであり、図面に示す実施の形態では断熱外枠１５は２段積み重ね状態で設けられており、下側に位置する断熱外枠１５を下地６に固定している。なお、下地６で囲まれる空間の４面に位置する各断熱外枠１５は横方向に適当間隔をあけて２箇所の位置で前記止め具１とタッピングねじ５により固定されるものである。前記断熱蓋１６も断熱外枠１５と同様に２段積み重ね状態で設けられ、下側に位置する断熱蓋１６の下面には後述する受け金具に当接する保護金具１７が取り付けられている。
【００１３】
さらに詳しくは、前記外枠９の上端と断熱外枠１５の下端との間には前記断熱蓋１６を受ける受け金具１８が介在されている。この受け金具１８は外枠９の上端に前記内枠１２の上端を覆うように連設された板部１９上に位置し、この板部１９にねじ２０止めされた押さえ金具２１と板部１９との間に挟まれて断熱蓋１６の収納空間に対し出退するように構成されている。なお、図において押さえ金具２１は板部１９の上面に形成された溝２２に嵌め込まれた雌ねじ部材２３に対しねじ２０を螺合させることにより取り付けられ、またこの押さえ金具２１には下向きの爪片２１ａが途中に形成され、受け金具１８に形成された切り欠き孔部１８ａに爪片２１ａが嵌り、受け金具１８が押さえ金具２１から抜け外れるのを防止している。また、受け金具１８の先端には出退させるときの摘み片１８ｂが下向きに連設されている。
【００１４】
ところで、図中２４は外枠９と天井板７との当接部に全周に亘って設けられる気密材、２５は内枠１２と蓋材１３との当接部に全周に亘って設けられる気密材、２６は内枠１２と蓋材１３とからなる点検口蓋が閉じた状態において内枠１２の上端と外枠９の板部１９との間に全周に亘って介在するように板部１９の下面に装着された気密材、２７は断熱外枠１５で囲まれる空間に嵌め込まれた２段積み重ね状態の断熱蓋１６の内、上側の断熱蓋１６と断熱外枠１５の間に全周に亘って介在するように上側の断熱蓋１６の上端に装着された気密材である。
【００１５】
以上、前記止め具１とタッピングねじ５を用いて天井点検口の断熱外枠１５を取り付ける場合について説明したが、次に図６〜図７に示す第２の実施の形態において床下点検口の断熱外枠を取り付ける場合について説明する。２８は床下地材２９の上に設けられる床材で、この床材２８および床下地材２９には床下点検口を形成するための開口部３０が形成され、開口部３０内には床下点検口の下方の空間を断熱構造にするために発泡スチロールからなる断熱外枠３１と、この断熱外枠３１で囲まれる空間に嵌め込まれ断熱外枠３１の下端受け部３１ａで受けられる発泡スチロールからなる断熱蓋３２が設けられる。詳しくは、前記断熱外枠３１は厚み面が上下に向き、床下地材２９の下側で開口部３０を囲むように位置する断熱外枠固定材となる根太などの開口補強材３３に重なるようにセットされて断熱外枠３１に対して前記止め具１を差し込み、タッピングねじ５を円筒部３に差し込んだ後、タッピングねじ５を回しながら断熱外枠３１から開口補強材３３にねじ込み断熱外枠３１を固定している。断熱外枠３１の上にはアルミニウム製の外枠３４を受ける受け桟３５が位置して、この受け桟３５も前記開口補強材３３に対してねじ３６ａ止めされている。前記外枠３４は受け桟３５に対してねじ３６ｂ止めされており、この外枠３４で囲まれる開口部を閉じるべく点検口蓋となる蓋材３７とこの蓋材３７の周囲を囲み蓋材３７と結合されるアルミニウム製の内枠３８とからなる点検口蓋が外枠３４の受け部３４ａ上に載って受けられるようになっている。図において、３９は前記床下地材２９の下に設けられる断熱材、４０は前記断熱外枠３１と受け桟３５との当接部に全周に亘って設けられる気密材、４１は外枠３４と床材２８との当接部に全周に亘って設けられる気密材、４２は受け部３４ａに全周に亘って装着され点検口蓋の蓋材３７の裏面に当接する気密材、４３は断熱蓋３２と断熱外枠３１の間に全周に亘って介在するように断熱蓋３２の上下両端外周に装着された気密材である。
【００１６】
次に、以上述べた床下点検口の技術を利用して、図８に示す第３の実施の形態において床下収納庫の断熱外枠を取り付ける場合について説明する。この第３の実施の形態において第２の実施の形態と基本的に異なる点は、外枠３４の受け部３４ａの内側の縁部に収納ボックス４４の上端に外向きに形成された引っ掛かり部４４ａを係合させる係合部３４ｂが形成されていること、断熱外枠３１の下端内面に収納ボックス４４の外面に当接する気密材４５が設けられていること、収納ボックス４４の上端内部に発泡スチロール製の断熱蓋４６が設けられていることなどであり、他の構成は第２の実施の形態とほぼ同様である。この床下収納庫における断熱外枠３１の取り付けにも前記止め具１およびタッピングねじ５が使用されるものである。なお、第２の実施の形態における蓋材３７は収納庫蓋となる。
【００１７】
ところで、上記した何れの実施の形態でも止め具１に対してタッピングねじ５がセットで使用されているが、タッピングねじ５の代わりに釘を使用することも可能である。
さらに、上記した実施の形態では止め具１とタッピングねじ５または釘は天井点検口の断熱外枠１５や床下点検口または床下収納庫の断熱外枠３１の取り付けに使用しているが、建物の開口部としては天井点検口、床下点検口、床下収納庫に限定されるものではなく、壁面などに形成される開口部内の断熱構造にも使用できるものである。また、前記止め具１とタッピングねじ５または釘は断熱外枠以外の発泡スチロールからなる製品の取り付けにも使用できるものである。
【図面の簡単な説明】
【００１８】
【図１】本発明の第１の実施の形態における天井点検口の断熱外枠の取り付けに使用される止め具の正面側から見た斜視図である。
【図２】同止め具の背面側から見た斜視図である。
【図３】同止め具を用いた天井点検口の断熱構造を示す全体断面図である。
【図４】同天井点検口の断熱構造を示す要部拡大断面図である。
【図５】同受け金具取り付け部の分解斜視図である。
【図６】本発明の第２の実施の形態における床下点検口の断熱構造を示す全体断面図である。
【図７】同床下点検口の断熱構造を示す要部拡大断面図である。
【図８】本発明の第３の実施の形態における床下収納庫の断熱構造を示す要部拡大断面図である。
【符号の説明】
【００１９】
１              止め具
２              当たり板部
２ａ            孔部
２ｂ            底部
３              円筒部
４              リブ
５              タッピングねじ
６              下地
７              天井板
７ａ            開口部
８              孔部
９              外枠
１０              野縁
１１              ねじ
１２              内枠
１３              蓋材
１４              断熱材
１５              断熱外枠
１６              断熱蓋
１８              受け金具
１９              板部
２８              床材
２９              床下地材
３０              開口部
３１              断熱外枠
３１ａ            下端受け部
３２              断熱蓋
３３              開口補強材
３４              外枠
３４ａ            受け部
３４ｂ            係合部
３５              受け桟
３６ａ，３６ｂ    ねじ
３７              蓋材
３８              内枠
３９              断熱材
４４              収納ボックス
４４ａ            引っ掛かり部
４６              断熱蓋
【図１】
0005376419.tif 000002
【図２】
0005376419.tif 000003
【図３】
0005376419.tif 000004
【図４】
0005376419.tif 000005
【図５】
0005376419.tif 000006
【図６】
0005376419.tif 000007
【図７】
0005376419.tif 000008
【図８】
0005376419.tif 000009